(57)【要約】【課題】手動送信時のセキュリティを向上したファクシミリ装置を提供することを課題とする。【解決手段】電話回線との接続状態がオフフック状態であり（ステップＳ１１）、オンフック状態への切り替えが行われる（ステップＳ１２でＹｅｓ）と、送受信判定部１１２は受信側と判定し、認証を要求せずにファクシミリ受信処理を行う。一方、オフフック状態で、ファクスモードへの切り替え指示が入力された場合（ステップＳ１３でＹｅｓ）、原稿読み取り台に原稿がセットされた場合（ステップＳ１５でＹｅｓ）、オフフック状態でダイヤル操作が行われた場合（ステップＳ１６でＹｅｓ）、画像データの選択操作が行われた場合（ステップＳ１７でＹｅｓ）のいずれかの場合、送受信判定部１１２はファクシミリ装置１が送信側であると判定する。そして、ファクシミリ装置１は、送信側の場合に認証を要求し、認証後にファクシミリ送信処理を行う。【選択図】図３
2008288918.tif 000002
【特許請求の範囲】
【請求項１】
オフフック状態から直接ファクシミリ通信を行う指示が入力された場合、前記ファクシミリ通信時において自装置が送信側であるか受信側であるかを入力された操作情報に基づいて判定する送受信判定部と、
前記送受信判定部が、自装置が送信側であると判定した場合、認証情報の入力を要求する認証部と、
を備えることを特徴とするファクシミリ装置。
【請求項２】
請求項１に記載のファクシミリ装置において、
前記送受信判定部は、前記オフフック状態においてダイヤル操作が行われていた場合、自装置が送信側であると判定することを特徴とするファクシミリ装置。
【請求項３】
請求項１に記載のファクシミリ装置において、
前記送受信判定部は、前記オフフック状態においてデータの選択操作が行われていた場合、自装置が送信側であると判定することを特徴とするファクシミリ装置。
【請求項４】
オフフック状態から直接ファクシミリ通信を行う指示が入力された場合、認証情報の入力を要求する認証部と、
ＣＮＧ信号を検出するファクシミリ通信部と、
前記ファクシミリ通信部が所定の時間内に前記ＣＮＧ信号を検出した場合、ファクシミリ通信時において自装置が受信側であると判定する送受信判定部と、
を備え、
前記認証部は、自装置が受信側であると前記送受信判定部が判定した場合、前記認証情報の入力の要求を取りやめることを特徴とするファクシミリ装置。
【発明の詳細な説明】
【技術分野】
【０００１】
本発明は、自動送信および手動送信が可能なファクシミリ装置に関する。
【背景技術】
【０００２】
オフィス等に設置されるファクシミリ装置において、印刷原稿や、予め記憶されている画像データなどをファクシミリで送信する場合、セキュリティを考慮して、認証情報の入力を要求するものがある。
【０００３】
たとえば、原稿読み取り台にセットされた原稿をファクシミリで送信する際に、ファクシミリ装置は、ユーザに認証情報の入力を要求する。そして、ファクシミリ装置は、入力された認証情報によって認証できたユーザに対して送信を許可する。一方、ファクシミリ装置は、入力された認証情報によって認証できないユーザに対して送信を許可しない。これにより、第三者がファクシミリ装置を不正に使用して、情報を外部に流出させたりすることを防ぐことができる。
【０００４】
たとえば、特許文献１では、原稿読み取り台に原稿がセットされた状態で、ユーザが各ユーザに割り当てられた暗証番号を入力することによって、ファクシミリの送信先を指定することができる通信端末装置が開示されている。
【０００５】
一方、ファクシミリ装置がファクシミリ通信における受信側である場合、情報が外部に流出する恐れがない。この場合、ファクシミリ装置は、ユーザに認証情報の入力を要求することなく、ファクシミリ受信処理を行う。
【０００６】
【特許文献１】特開平１０−２８１３２号公報
【発明の開示】
【発明が解決しようとする課題】
【０００７】
従来のファクシミリ装置では、一般的に、原稿読み取り台にセットされた原稿を、設定されたファクシミリの送信先に自動的に接続して送信する自動送信が用いられる。また、ファクシミリ装置は、ユーザが自動送信の実行を指示する際などに、上述のようにユーザに認証情報の入力を要求する。これにより、ファクシミリ装置は、自動送信時の情報の外部への流出を防止している。
【０００８】
一方、従来のファクシミリ装置では、ユーザが電話回線の接続状態をオフフック状態にした後で、ユーザの指示に基づいて原稿を送信する手動送信も行われている。たとえば、手動送信では、ユーザが送信先に予め電話をかけて送信先が正しいことを確認した上で、原稿を送信することができる。したがって、手動送信は、ファクシミリの誤送信の防止や、原稿をファクシミリで送信することを予め送信先に伝える場合などに有効である。
【０００９】
しかしながら、手動送信において、電話回線の接続状態がオフフック状態となった際に、ファクシミリ装置はユーザに認証情報の入力を要求しない。これは、ユーザが、ファクシミリ装置が備えるハンドセットを用いて通話する際などの操作性を考慮しているためである。また、ユーザがオフフック状態から原稿の送信を指示する際にも、ファクシミリ装置は、ユーザに認証情報の入力を要求しない。すなわち、ファクシミリの手動送信では、ユーザ認証がなされていない状態で原稿が送信される。このため、第三者がファクシミリ装置を不正に使用して、情報を外部に流出させることができるという問題があった。
【００１０】
そこで、本発明は前記問題点に鑑み、手動送信時のセキュリティを向上したファクシミリ装置を提供することを目的とする。
【課題を解決するための手段】
【００１１】
上記課題を解決するため、請求項１記載の発明は、オフフック状態から直接ファクシミリ通信を行う指示が入力された場合、前記ファクシミリ通信時において自装置が送信側であるか受信側であるかを入力された操作情報に基づいて判定する送受信判定部と、前記送受信判定部が、自装置が送信側であると判定した場合、認証情報の入力を要求する認証部と、を備えることを特徴とする。
【００１２】
請求項２記載の発明は、請求項１に記載のファクシミリ装置において、前記送受信判定部は、前記オフフック状態においてダイヤル操作が行われていた場合、自装置が送信側であると判定することを特徴とする。
【００１３】
請求項３記載の発明は、請求項１に記載のファクシミリ装置において、前記送受信判定部は、前記オフフック状態においてデータの選択操作が行われていた場合、自装置が送信側であると判定することを特徴とする。
【００１４】
請求項４記載の発明は、オフフック状態から直接ファクシミリ通信を行う指示が入力された場合、認証情報の入力を要求する認証部と、ＣＮＧ信号を検出するファクシミリ通信部と、前記ファクシミリ通信部が所定の時間内に前記ＣＮＧ信号を検出した場合、ファクシミリ通信時において自装置が受信側であると判定する送受信判定部と、を備え、前記認証部は、自装置が受信側であると前記送受信判定部が判定した場合、前記認証情報の入力の要求を取りやめることを特徴とする。
【発明の効果】
【００１５】
本発明のファクシミリ装置において、オフフック状態から直接ファクシミリ通信を行う場合、送受信判定部は、ファクシミリ通信において送信側であるか受信側であるかを、ユーザにより入力された操作情報に基づいて判断する。そして、送受信判定部が送信側であると判断した場合、認証部は認証情報の入力を要求する。このため、本発明のファクシミリ装置は、手動送信時においてもユーザに認証を要求するため、セキュリティを向上させることができる。一方、送受信判定部は受信側であると判断した場合、ユーザに認証を要求しないため、ファクシミリ受信時にユーザの操作性を損なうことがない。
【発明を実施するための最良の形態】
【００１６】
以下、図面を参照しつつ本発明の実施の形態について説明する。図１は、本発明の一実施の形態における、ファクシミリ装置１の構成図である。図１に示すファクシミリ装置１は、電話回線を介して音声通話を行うためのＴＥＬモードと、電話回線を介してファクシミリ通信を行うためのファクスモードとを有する。ユーザは、使用目的に応じていずれかのモードに切り替えて、ファクシミリ装置を使用する。
【００１７】
まず、図１を用いてファクシミリ装置１の構成について説明する。ファクシミリ装置１は、制御部１１と、タッチパネル式ディスプレイ１２と、操作部１３と、ファクシミリ通信部１４と、ハンドセット１５と、ＮＣＵ（ネットワークコントロールユニット）１６と、印刷処理部１７と、原稿読み取り部１８と、記憶部１９とを備える。
【００１８】
制御部１１は、ＣＰＵ、ＲＡＭ等を含み、ファクシミリ装置１の全体制御を行う。具体的には、制御部１１は、ＴＥＬモード／ファクスモードに応じたＮＣＵ１６の制御や、ＴＥＬモードからファクスモードに切り替わった際に、ファクシミリ通信における送信側か受信側かを判定する。
【００１９】
タッチパネル式ディスプレイ１２は、ファクシミリ装置１に関する情報表示、および各種の操作メニューを表示する。操作部１３は、ファクシミリ装置１に各種の操作指示を行うためのボタン等で構成される。ユーザは、タッチパネル式ディスプレイ１２および操作部１３（以下、「本体操作部」という）を利用して、ファクシミリ装置１の各種操作をすることが可能である。
【００２０】
ファクシミリ通信部１４は、ファクシミリ通信時における制御信号の送受信処理や、送受信する画像データの変復調を行う。ハンドセット１５は、ユーザが音声通話をするための受話器である。ＮＣＵ１６は、制御部１１から出力される制御信号にしたがって、ファクシミリ通信部１４またはハンドセット１５のいずれかと、電話回線とを接続させる。
【００２１】
印刷処理部１７は、ファクシミリ通信部１４が受信したファクシミリデータを記録用紙に出力ドキュメントとして印刷出力する。原稿読み取り部１８は、原稿読み取り台（図示省略）等に載置された原稿を読み取り、画像データとして出力する。記憶部１９は、たとえば、ハードディスク装置などで構成されており、原稿読み取り部１８が出力する画像データなどを保存する。なお、ファクシミリ装置１は、制御部１１と、印刷処理部１７と、原稿読み取り部１８とを協働させることによって、コピー機能を実現することも可能である。
【００２２】
次に、制御部１１の構成について詳しく説明する。制御部１１は、操作監視部１１１と、送受信判定部１１２と、認証部１１３と、電話回線制御部１１４とを有する。
【００２３】
操作監視部１１１は、ファクシミリ装置１がオフフック状態となっている間、本体操作部から入力される操作情報を監視して、操作ログを記録する。
【００２４】
送受信判定部１１２は、ＴＥＬモードからファクスモードに切り替わったときに、ファクシミリ装置１がファクシミリ通信における送信側か受信側かを判定する。このとき、送受信判定部１１２は、操作監視部１１１の操作ログと、本体操作部から入力される操作情報とに基づいて送信側か受信側かを判定する。
【００２５】
認証部１１３は、ファクシミリ装置１を使用するユーザのユーザ認証に関する処理を行う。具体的には、認証部１１３は、ユーザごとのユーザＩＤやパスワードなどの認証情報を記憶しており、本体操作部を介して入力された認証情報が、記憶している認証情報と一致するかどうかを確認することで認証を行う。
【００２６】
電話回線制御部１１４は、本体操作部から入力される操作情報と、認証部１１３から入力される認証結果とに基づいて、ファクシミリ通信部１４またはハンドセット１５と、電話回線との接続状態を制御する。
【００２７】
以下、上述した構成を有するファクシミリ装置１の動作について説明する。
【００２８】
最初に、ファクシミリ装置１の自動送信時における、ファクシミリ装置１の動作について、図２を用いてユーザの操作手順とともに説明する。図２は、ファクシミリ装置１の本体操作部における、ボタン等の配置の一例を示す図である。なお、図２に示すタッチパネル式ディスプレイ１２は、ファクスモードの初期画面を表示した状態を示している。
【００２９】
まず、ユーザは、モード切り替えキー１３３のうちファクスボタンを押下して、ファクシミリ装置１をファクスモードに切り替える。そして、ユーザは、原稿読み取り台（図示省略）に原稿をセットする。そして、ユーザは、テンキー１３２やタッチパネル式ディスプレイ１２に表示される電話帳などを操作して、送信先の電話番号を指定する。
【００３０】
次に、ユーザがスタートキー１３１を押下すると、原稿読み取り部１８は原稿の読み取りを開始し、ファクシミリ通信部１４は読み取った原稿を指定された送信先に送信する。なお、上記のユーザの操作中のいずれかのタイミングで、認証部１１３がユーザに認証を要求する。たとえば、スタートキー１３１が押下されたときに、認証部１１３は、認証情報の入力要求画面をタッチパネル式ディスプレイ１２に表示させる。
【００３１】
このように、ファクシミリ装置１は、ユーザの操作中に、認証情報の入力を要求することによって、自動送信時の情報の流出等を防いでいる。
【００３２】
次に、ファクシミリ装置１の手動送信時における、ファクシミリ装置１の動作について、図３を用いて説明する。図３は、ファクシミリ装置１の手動送信時の動作を示すフローチャートである。なお、初期状態として、ファクシミリ装置１は、ファクスモード以外のモード（たとえば、コピーモードなど）にあるものとする。
【００３３】
まず、ユーザがハンドセット１５を持ち上げたり、ユーザが図２に示すオフフックキー１２１を押下したりすることによって、ファクシミリ装置１は、ＴＥＬモードとなり、電話回線との接続状態をオンフック状態からオフフック状態に切り替える（ステップＳ１１）。以下、上述したファクシミリの自動送信以外の手順で、オンフック状態からオフフック状態に切り替わった状態も、ＴＥＬモードに含めるものとする。また、操作監視部１１１は、ＴＥＬモードとなったタイミングから、操作ログの記録を開始する。
【００３４】
ファクシミリ装置１がＴＥＬモードとなった後、オンフック状態への切り替え操作が行われた場合（ステップＳ１２においてＹｅｓ）、制御部１１は、ファクシミリ装置１をＴＥＬモードからファクスモードに切り替える(ステップＳ２０)。そして、送受信判定部１１２は、ファクシミリ装置１がファクシミリ通信における受信側であると判定し、ファクシミリ装置１は、ファクシミリ受信処理を実行する（ステップＳ２１）。なお、ここで述べた処理は、ユーザによるオンフック状態への切り替え操作（ハンドセットを戻すなど）を、ファクスモードへの切り替え指示とみなす、いわゆるオンフック受信に相当する。
【００３５】
一方、ファクシミリ装置１がＴＥＬモードとなった後、オンフック状態への切り替え操作が行われない場合（ステップＳ１２においてＮｏ）、操作監視部１１１は、ファクスモードへの切り替え指示が入力されたかどうかを確認する（ステップＳ１３）。ファクスモードへの切り替え指示とは、たとえば、ＴＥＬモードにおける、ユーザによるスタートキー１３１の押下や、モード切り替えキー１３３のうちファクスキーの押下、原稿読み取り台への原稿のセットなどの操作が挙げられる。
【００３６】
ファクスモードへの切り替え指示が入力された場合（ステップＳ１３においてＹｅｓ）、制御部１１は、ファクシミリ装置１をＴＥＬモードからファクスモードに切り替える（ステップＳ１４）。このとき、電話回線の接続状態は、ステップＳ１１からオフフック状態のままである。
【００３７】
次に、送受信判定部１１２は、操作ログやファクスモードへの切り替え後のユーザの操作に基づいて、ファクシミリ装置１がファクシミリ通信における送信側か受信側かを判定する。まず、送受信判定部１１２は、原稿読み取り台に原稿がセットされているかどうかで、送信側か受信側かを判定する（ステップＳ１５）。
【００３８】
原稿読み取り台に原稿がセットされている場合（ステップＳ１５においてＹｅｓ）、送受信判定部１１２は、ファクシミリ装置１がファクシミリ通信における送信側であると判定し、認証部１１３は、タッチパネル式ディスプレイ１２に認証要求画面（図示省略）を表示させる（ステップＳ１８）。ユーザ認証が行われた後、ファクシミリ装置１は、ファクシミリ送信処理を実行する（ステップＳ１９）。
【００３９】
一方、原稿読み取り台に原稿がセットされていない場合（ステップＳ１５においてＮｏ）、送受信判定部１１２は、オフフック状態においてダイヤル操作が行われていたかどうかを、操作ログに基づいて判定する（ステップＳ１６）。
【００４０】
ファクシミリ装置１がＴＥＬモードからファクスモードに切り替わり、かつ、ユーザがダイヤル操作をして通信先を指定するということは、ユーザがファクシミリ送信を行う可能性が高いと考えることができる。したがって、オフフック状態においてダイヤル操作が行われていた場合（ステップＳ１６においてＹｅｓ）、送受信判定部１１２は、ファクシミリ装置１がファクシミリ通信における送信側であると判定し、ファクシミリ装置１は、上述したステップＳ１８およびステップＳ１９に示す処理を実行する。なお、ユーザがダイヤル操作をするタイミングについては、ステップＳ１１からステップＳ１６に示す処理の間であれば、どこで行われていてもよい。
【００４１】
一方、オフフック状態において、ダイヤル操作が行われていない場合（ステップＳ１６においてＮｏ）、送受信判定部１１２は、オフフック状態において、記憶部１９に記憶されている画像データの選択操作が行われたかどうかを、操作ログに基づいて判定する（ステップＳ１７）。
【００４２】
具体的には、画像データの選択操作が行われた場合（ステップＳ１７においてＹｅｓ）、送受信判定部１１２は、ファクシミリ装置１がファクシミリ通信における送信側であると判定し、ファクシミリ装置１は、上述したステップＳ１８およびステップＳ１９に示す処理を実行する。
【００４３】
一方、画像データの選択操作が行われていない場合（ステップＳ１７においてＮｏ）、送受信判定部１１２は、ファクシミリ装置１がファクシミリ通信における受信側であると判定し、ファクシミリ装置１は、ファクシミリ受信処理を行う（ステップＳ２１）。
【００４４】
このように、本実施の形態のファクシミリ装置１は、ＴＥＬモードからファクスモードに切り替わった後に、操作ログ、および切り替え後のユーザの操作に基づいて、ファクシミリ通信における送信側か受信側かを判断する。そして、ファクシミリ装置１は、送信側であると判断した場合、ユーザに認証を要求する。このため、ファクシミリ装置１は、手動送信時にも、ユーザに認証を要求するため、セキュリティを向上させることができる。なお、ファクシミリ装置１は、ＴＥＬモードからファクスモードに切り替わったときに受信側と判断した場合、認証を要求しないため、ファクシミリ受信時にユーザの操作性を損なうことがない。
【００４５】
なお、本実施の形態において、ＴＥＬモードからファクスモードへ切り替わった場合、ファクシミリ装置１は、操作ログまたは切り替え後のユーザの操作に基づいて送信側か受信側かを判定するものとして説明したが、これに限られるものではなく、ファクシミリの送信／受信を設定する送信／受信設定キーを設けてもよい。これにより、ファクシミリ装置１は、確実に送信側か受信側かを判定することができる。送信／受信設定キーは、タッチパネル式ディスプレイ１２上にソフトウェアキーとして表示させてもよいし、操作部１３のハードウェアキーとして形成されてもよい。
【００４６】
また、本実施の形態において、ファクシミリ装置１は、手動送信時にユーザ認証を行うものとして説明したが、これに限られるものではなく、ファクシミリ装置１は、たとえば図３に示した手順でファクシミリ通信における送信側であると判定した場合、原稿の送信を禁止してもよい。これにより、手動送信が行われることがないため、情報の流出を防止することができる。
【００４７】
また、本実施の形態において、ＴＥＬモードからファクスモードに切り替えることができるものとして説明したが、これに限られるものではなく、ファクシミリ装置１において、ＴＥＬモードからファクスモードへの切り替えを禁止してもよい。たとえば、ＴＥＬモードにおいて、ユーザがスタートキー１３１を押下しても、ファクスモードに切り替わらないようにすればよい。これにより、手動送信を禁止することができるため、情報の流出を防止することができる。この場合、ＴＥＬモードからファクスモードに切り替えることができないため、ＴＥＬモードからファクシミリ受信を行うこともできなくなる。
【００４８】
また、本実施の形態において、認証部１１３は、ユーザがＴＥＬモードに変更する際に認証を要求しないものとして説明したが、これに限られるものではなく、認証部１１３は、ユーザがＴＥＬモードに変更する際に認証を要求してもよい。たとえば、発呼または着呼時にユーザがハンドセット１５を持ち上げるなどのオフフック操作を行ったときに、ファクシミリ装置１は、認証を要求し、認証後にオフフック状態とすればよい。これにより、ＴＥＬモードからファクスモードに切り替わったときに、ファクシミリ装置１が既に認証済みの状態となっているため、手動送信時のセキュリティを向上させることができる。
【００４９】
また、本実施の形態において、ステップＳ１５において、原稿読み取り台に原稿がセットされていない場合、送受信判定部１１２は、操作ログを参照して送信側か受信側かを判定するものとして説明したが、これに限られるものではなく、原稿読み取り台に原稿がセットされていない場合、送受信判定部１１２は、受信側であると判定してもよい。この場合、ステップＳ１６、ステップＳ１７に示す処理を、ステップＳ１５に示す処理の前に実行してもよい。
【００５０】
また、本実施の形態において、図３に示すステップＳ１７のように、ユーザが記憶部１９に記憶されている画像データの選択操作をしたかどうかで、送受信判定部１１２は、送信側か受信側かを判定するものとして説明したが、これに限られるものではない。たとえば、ファクシミリ装置１がＬＡＮなどのネットワークに接続されている場合、ネットワーク上の共有フォルダに保存された画像データなどの選択操作をしたかどうかで、送信側か受信側かを判定してもよい。
【００５１】
また、本実施の形態において、ファクシミリ装置１は、ＴＥＬモードからファクスモードに切り替わった後にファクシミリ通信の送信側か受信側かを判定するものとして説明したが、これに限られるものではなく、たとえば、ステップＳ１３およびＳ１４に示す処理を省略してもよい。この場合、ファクシミリ装置１は、ステップＳ１５〜ステップＳ１７に示すユーザの操作を検出した際に、ファクスモードに切り替えればよい。
【００５２】
次に、本実施の形態のファクシミリ装置１の変形例について、図４を用いて説明する。
【００５３】
｛変形例｝
図４は、ファクシミリ装置１の手動送信時の動作の変形例を示すフローチャートである。なお、ステップＳ３１、ステップＳ３２、およびステップＳ３３における処理は、ステップＳ１１、ステップＳ１３、およびステップＳ１４における処理とそれぞれ同じであるため、その説明を省略する。
【００５４】
ステップＳ３３において、ＴＥＬモードからファクスモードへ切り替わると、ファクシミリ通信部１４は、ＣＮＧ（コーリングトーン）信号の検出を開始し、認証部１１３は、タッチパネル式ディスプレイ１２に、認証要求画面を表示させる（ステップＳ３４）。
【００５５】
そして、ファクシミリ通信部１４が一定期間内にＣＮＧ信号を検出すると（ステップＳ３５においてＹｅｓ）、送受信判定部１１２は、ファクシミリ通信における受信側であると判定し、認証部１１３は、認証要求画面を取り消す（ステップＳ３６）。そして、ファクシミリ装置１は、ファクシミリ受信処理を行う（ステップＳ３７）。
【００５６】
一方、ステップＳ３５において、ファクシミリ通信部１４がＣＮＧ信号を検出する前に、認証が行われる（ステップＳ３５においてＮｏ）と、ファクシミリ装置１は、ファクシミリ通信処理を行う（ステップＳ３８）。この場合、送受信判定部１１２は、上述したステップＳ１２、ステップＳ１５〜ステップＳ１７（図３参照）のいずれかの処理に基づいて、ファクシミリ通信における送信側か受信側かを判断すればよい。
【００５７】
このように、ファクシミリ装置１は、図４に示すフローチャートに基づいて動作した場合でも、ユーザ認証を得た状態で手動送信することができる。
【００５８】
なお、本変形例で説明した、ファクシミリ装置１において、ステップＳ３５に示す処理を実行する前に、図３に示すステップＳ１５〜ステップＳ１７の処理を実行してもよい。この場合、送受信判定部１１２は、受信側であると判定した場合、認証要求画面の表示を取り消し、送信側であると判定した場合、認証要求画面を引き続き表示させればよい。
【図面の簡単な説明】
【００５９】
【図１】本発明の一実施の形態における、ファクシミリ装置１の構成図である。
【図２】本体操作部のボタン等の配置の一例を示す図である。
【図３】ファクシミリ装置１の手動送信時の動作を示すフローチャートである。
【図４】ファクシミリ装置１の手動送信時の動作の変形例を示すフローチャートである。
【符号の説明】
【００６０】
１  ファクシミリ装置
１１  制御部
１２  タッチパネル式ディスプレイ
１３  操作部
１４  ファクシミリ通信部
１５  ハンドセット
１１１  操作監視部
１１２  送受信判定部
１１３  認証部
１１４  電話回線制御部
【図１】
2008288918.tif 000003
【図２】
2008288918.tif 000004
【図３】
2008288918.tif 000005
【図４】
2008288918.tif 000006